(57)【要約】  メディアコンテンツを変換する方法、システム及び装置を開示する。本方法は、メディア変換装置がメディアアプリケーション端末からメディア変換サービス要求及び認証ＩＤを受信し、前記変換サービス要求はメディアコンテンツＩＤ及び前記端末の再生機能情報を伝達し、認証ＩＤは、コンテンツ送信元装置が前記端末からメディア送信迂回要求を受信した後に前記送信迂回要求と対応付けされ、かつ前記送信元装置によって前記端末に送信され、前記変換装置が前記コンテンツＩＤを伝達するメディアコンテンツ送信要求を前記送信元装置に送信し、認証ＩＤを前記送信元装置に送信し、前記送信元装置が認証ＩＤが有効と判定した後に前記変換装置が前記送信元装置から前記コンテンツＩＤによって特定されたメディアコンテンツを受信し、前記端末の再生機能情報に従って受信された前記コンテンツを変換し、変換された前記コンテンツを前記端末に送信するステップを含む。
2010524412.tif 000002
【特許請求の範囲】
【請求項１】
メディア・コンテンツを変換する方法であって、
メディア変換装置がメディア・アプリケーション端末からメディア変換サービス要求および認証ＩＤを受信する過程を有し、前記メディア変換サービス要求はメディア・コンテンツＩＤおよび前記メディア・アプリケーション端末の再生機能情報を伝達し、前記認証ＩＤは、コンテンツ送信元装置が前記メディア・アプリケーション端末から前記メディア送信迂回要求を受信した後に、メディア送信迂回要求と対応付けされ、かつ、前記コンテンツ送信元装置によって前記メディア・アプリケーション端末に送信され、
前記メディア変換装置が前記メディア・コンテンツＩＤを伝達するメディア・コンテンツ送信要求を前記コンテンツ送信元装置に送信し、前記認証ＩＤを前記コンテンツ送信元装置に送信する過程と、
前記コンテンツ送信元装置が、前記認証ＩＤが有効であると判定した後に、前記メディア変換装置が前記コンテンツ送信元装置から前記メディア・コンテンツＩＤによって特定されたメディア・コンテンツを受信する過程と、
前記メディア変換装置が前記メディア・アプリケーション端末の再生機能情報に従って前記受信されたメディア・コンテンツを変換し、前記変換されたメディア・コンテンツを前記メディア・アプリケーション端末に送信する過程と、
をさらに有する方法。
【請求項２】
前記メディア変換装置が前記メディア・アプリケーション端末から前記認証ＩＤを受信する過程は、前記メディア変換装置が前記メディア・アプリケーション端末から前記メディア変換サービス要求において伝達された認証ＩＤを受信する過程を有し、かつ／または、
前記メディア変換装置が前記認証ＩＤをコンテンツ送信元装置に送信する過程は、前記コンテンツ送信元装置に送信されるメディア・コンテンツ送信要求において認証ＩＤを伝達する過程を有する請求項１に記載の方法。
【請求項３】
前記メディア変換装置が前記メディア・コンテンツ送信要求を前記コンテンツ送信元装置に送信した後に、
前記方法は、
前記メディア変換装置が前記コンテンツ送信元装置から認証ＩＤ問い合わせメッセージを受信する過程、および、
前記メディア変換装置が、前記コンテンツ送信元装置から前記認証ＩＤ問い合わせメッセージを受信した後に、前記メディア・アプリケーション端末からの認証ＩＤを前記コンテンツ送信元装置に送信する過程、または、
前記メディア変換装置が、前記コンテンツ送信元装置から前記認証ＩＤ問い合わせメッセージを受信した後に、前記認証ＩＤについて前記メディア・アプリケーション端末に問い合わせ、前記メディア変換装置が、前記メディア・アプリケーション端末から前記認証ＩＤを受信した後に、前記認証ＩＤを前記コンテンツ送信元装置に送信する過程、
をさらに有する請求項１に記載の方法。
【請求項４】
前記コンテンツ送信元装置が前記メディア・アプリケーション端末から前記メディア送信迂回要求を受信する前に、
前記方法は、
前記メディア・アプリケーション端末が前記コンテンツ送信元装置による認証を受け取り、前記コンテンツ送信元装置から前記メディア・コンテンツＩＤによって特定されたメディア・コンテンツを取得する過程と、
前記メディア・アプリケーション端末が、受信された前記メディア・コンテンツを使用できないことが分かったとき、前記メディア送信迂回要求を前記コンテンツ送信元装置に送信する過程と、
をさらに有する請求項１に記載の方法。
【請求項５】
前記コンテンツ送信元装置が前記メディア・アプリケーション端末から前記メディア送信迂回要求を受信する前に、
前記方法は、
前記メディア変換装置が前記メディア・アプリケーション端末からメディア変換機能問い合わせメッセージを受信する過程をさらに有し、
前記メディア変換機能問い合わせメッセージは、前記メディア・アプリケーション端末の再生機能情報および前記メディア・コンテンツの説明情報を伝達し、
前記メディア変換装置が、前記メディア変換機能問い合わせメッセージにおいて伝達された前記メディア・アプリケーション端末の再生機能情報および前記メディア・コンテンツの説明情報、および、前記メディア変換装置のメディア・コンテンツ変換機能に従って変換サービスを提供できるか否か判定し、前記変換サービスを提供できると判定すると変換を実現できることを示す応答メッセージを送信する過程をさらに有する請求項１に記載の方法。
【請求項６】
前記再生機能情報は、メディア・コンテンツの符号化フォーマット、および／または、メディア・コンテンツの解像度、および／または、メディア・コンテンツのフレーム速度、および／または、メディア・コンテンツのために使用される伝送プロトコルを含み、
前記メディア・コンテンツの説明情報は、前記メディア・コンテンツの符号化フォーマット、および／または、前記メディア・コンテンツの解像度、および／または、前記メディア・コンテンツのフレーム速度、および／または、前記メディア・コンテンツが配置されているコンテンツ送信元装置によって使用される伝送プロトコルを含む請求項５に記載の方法。
【請求項７】
前記メディア変換装置が前記メディア・コンテンツ送信要求を前記コンテンツ送信元装置に送信する前に、前記方法は、前記コンテンツ送信元装置が前記メディア・アプリケーション端末と第１の鍵をネゴシエーションし、前記メディア変換装置が前記メディア・アプリケーション端末から前記第１の鍵を受信し、前記メディア変換装置が前記メディア・アプリケーション端末と第２の鍵をネゴシエーションする過程をさらに有し、
前記メディア変換装置が前記コンテンツ送信元装置から前記メディア・コンテンツＩＤによって特定されたメディア・コンテンツを受信する前に、前記方法は、前記コンテンツ送信元装置が前記第１の鍵を用いて前記メディア・コンテンツを暗号化する過程をさらに有し、
前記メディア変換装置が前記受信されたメディア・コンテンツを変換する前に、前記方法は、前記メディア変換装置が前記第１の鍵を用いて前記受信されたメディア・コンテンツを復号化する過程をさらに有し、
前記メディア変換装置が前記受信されたメディア・コンテンツを変換した後に、前記方法は、前記メディア変換装置が前記第２の鍵を用いて前記変換されたメディア・コンテンツを暗号化する過程をさらに有する請求項１に記載の方法。
【請求項８】
前記コンテンツ送信元装置が前記メディア・アプリケーション端末と前記第１の鍵をネゴシエーションした後、かつ、前記コンテンツ送信元装置が前記メディア・コンテンツを前記メディア変換装置に送信する前、または、前記コンテンツ送信元装置が前記メディア・コンテンツを前記メディア変換装置に送信する過程の間に、前記方法は、前記第１の鍵を更新する過程をさらに有する請求項７に記載の方法。
【請求項９】
メディア・コンテンツを変換するシステムであって、メディア・アプリケーション端末と、メディア変換装置と、コンテンツ送信元装置と、を備え、
前記メディア・アプリケーション端末は、メディア送信迂回要求を前記コンテンツ送信元装置に送信し、前記コンテンツ送信元装置から前記メディア送信迂回要求と対応付けされた認証ＩＤを受信し、メディア変換サービス要求および前記認証ＩＤを前記メディア変換装置に送信し、前記メディア変換サービス要求は、メディア・コンテンツＩＤおよび前記メディア・アプリケーション端末の再生機能情報を伝達し、前記メディア・アプリケーション端末は、前記メディア変換装置からメディア・コンテンツを受信するように構成され、
前記メディア変換装置は、前記メディア・アプリケーション端末から前記メディア・コンテンツＩＤおよび前記メディア・アプリケーション端末の再生機能情報を伝達する前記メディア変換サービス要求および前記認証ＩＤを受信した後に、前記メディア・コンテンツＩＤを伝達するメディア・コンテンツ送信要求および前記認証ＩＤを前記コンテンツ送信元装置に送信し、前記コンテンツ送信元装置からメディア・コンテンツを受信し、前記受信されたメディア・アプリケーション端末の再生機能情報に従って前記メディア・コンテンツを変換し、前記変換されたメディア・コンテンツを前記メディア・アプリケーション端末に送信するように構成され、
前記コンテンツ送信元装置は、前記メディア・アプリケーション端末から前記メディア送信迂回要求を受信した後に、前記メディア送信迂回要求と対応付けされた認証ＩＤを前記メディア・アプリケーション端末に送信し、前記メディア変換装置から前記メディア・コンテンツＩＤを伝達するメディア・コンテンツ送信要求および前記認証ＩＤを受信し、前記メディア変換装置からの認証ＩＤが有効であると判定した後に、前記メディア・コンテンツＩＤによって特定されたメディア・コンテンツを前記メディア変換装置に送信するように構成されたシステム。
【請求項１０】
前記メディア・アプリケーション端末は、さらに、前記コンテンツ送信元装置による認証を受け取り、前記コンテンツ送信元装置から前記メディア・コンテンツＩＤによって特定されたメディア・コンテンツを取得し、前記メディア・アプリケーション端末が前記受信されたメディア・コンテンツを再生できないことが分かると、前記メディア送信迂回要求を前記コンテンツ送信元装置に送信するように構成され、
前記コンテンツ送信元装置は、さらに、前記メディア・アプリケーション端末を認証し、前記認証が成功した後に、前記メディア・コンテンツを前記メディア・アプリケーション端末に送信するように構成された請求項９に記載のシステム。
【請求項１１】
前記メディア・アプリケーション端末は、さらに、メディア変換機能問い合わせメッセージを前記メディア変換装置に送信し、前記メディア変換機能問い合わせメッセージは、前記メディア・アプリケーション端末の再生機能情報および前記メディア・コンテンツの説明情報を伝達するように構成され、
前記メディア変換装置は、さらに、前記メディア変換機能問い合わせメッセージにおいて伝達された前記メディア・アプリケーション端末の再生機能情報および前記メディア・コンテンツの説明情報、および、前記メディア変換装置のメディア・コンテンツ変換機能に従って変換サービスを提供できるか否か判定し、前記変換サービスを提供できると判定すると変換を実現できることを示す応答メッセージを前記メディア・アプリケーション端末に送信するように構成された請求項９に記載のシステム。
【請求項１２】
前記コンテンツ送信元装置は、さらに、前記メディア・アプリケーション端末と第１の鍵をネゴシエーションし、前記第１の鍵を用いて前記メディア・コンテンツを暗号化し、前記暗号化されたメディア・コンテンツを前記メディア変換装置に送信するように構成され、
前記メディア・アプリケーション端末は、さらに、前記コンテンツ送信元装置と前記第１の鍵をネゴシエーションし、前記コンテンツ変換装置と第２の鍵をネゴシエーションし、前記第２の鍵を用いて前記メディア変換装置からのメディア・コンテンツを復号化するように構成され、
前記メディア変換装置は、さらに、前記メディア・アプリケーション端末と前記第２の鍵をネゴシエーションし、前記メディア・アプリケーション端末から前記第１の鍵を受信し、前記第１の鍵を用いて前記コンテンツ送信元装置からのメディア・コンテンツを復号化し、前記復号化されたメディア・コンテンツを変換し、前記第２の鍵を用いて、処理されたメディア・コンテンツを暗号化し、前記暗号化されたメディア・コンテンツを前記メディア・アプリケーション端末に送信するように構成された請求項９に記載のシステム。
【請求項１３】
メディア送信迂回要求モジュールと、メディア変換サービス要求モジュールと、を備え、
前記メディア送信迂回要求モジュールは、メディア送信迂回要求をコンテンツ送信元装置に送信し、前記コンテンツ送信元装置から前記メディア送信迂回要求と対応付けされた認証ＩＤを受信し、前記認証ＩＤを前記メディア変換サービス要求モジュールに送信するように構成され、
前記メディア変換サービス要求モジュールは、メディア変換サービス要求および前記認証ＩＤをメディア変換装置に送信し、前記メディア変換サービス要求は、メディア・コンテンツＩＤおよび前記メディア・アプリケーション端末の再生機能情報を伝達し、前記メディア変換装置からメディア・コンテンツを受信するように構成されたメディア・アプリケーション端末。
【請求項１４】
鍵ネゴシエーション・モジュールと、復号化モジュールと、をさらに備え、
前記鍵ネゴシエーション・モジュールは、前記コンテンツ送信元装置と第１の鍵をネゴシエーションし、前記メディア変換装置と第２の鍵をネゴシエーションし、前記第１の鍵を前記メディア変換装置に送信し、前記第２の鍵を前記復号化モジュールに送信するように構成され、
前記メディア変換サービス要求モジュールは、さらに、前記受信されたメディア・コンテンツを前記復号化モジュールに送信するように構成され、
前記復号化モジュールは、前記受信された第２の鍵を用いて前記受信されたメディア・コンテンツを復号化するように構成された請求項１３に記載のメディア・アプリケーション端末。
【請求項１５】
メディア変換サービス・インタフェース・モジュールと、メディア変換処理モジュールと、を備え、
前記メディア変換サービス・インタフェース・モジュールは、メディア・アプリケーション端末からメディア変換サービス要求および認証ＩＤを受信した後に、メディア・コンテンツＩＤを伝達するメディア・コンテンツ送信要求および前記認証ＩＤをコンテンツ送信元装置に送信し、前記メディア変換サービス要求は、前記メディア・コンテンツＩＤおよび前記メディア・アプリケーション端末の再生機能情報を伝達し、前記メディア・アプリケーション端末の再生機能情報を前記メディア変換処理モジュールに送信するように構成され、
前記メディア変換処理モジュールは、前記コンテンツ送信元装置からメディア・コンテンツ、および、前記メディア変換サービス・インタフェース・モジュールから前記メディア・アプリケーション端末の再生機能情報を受信し、前記受信されたメディア・コンテンツを変換し、前記変換されたメディア・コンテンツを前記メディア・アプリケーション端末に送信するように構成されたメディア変換装置。
【請求項１６】
前記メディア変換サービス・インタフェース・モジュールは、さらに、前記メディア・アプリケーション端末からメディア変換機能問い合わせメッセージを受信し、前記メディア変換機能問い合わせメッセージは、前記メディア・アプリケーション端末の再生機能情報および前記メディア・コンテンツの説明情報を伝達し、前記メディア変換機能問い合わせメッセージにおいて伝達された前記メディア・アプリケーション端末の再生機能情報および前記メディア・コンテンツの説明情報、および、前記メディア変換サービス・インタフェース・モジュールのメディア・コンテンツ変換機能に従って変換サービスを提供できるか否か判定し、前記変換サービスを提供できると判定すると、変換を実現できることを示す応答メッセージを前記メディア・アプリケーション端末に送信するように構成された請求項１５に記載のメディア変換装置。
【請求項１７】
鍵ネゴシエーション・モジュールと、暗号化モジュールと、復号化モジュールと、をさらに備え、
前記鍵ネゴシエーション・モジュールは、前記メディア・アプリケーション端末と第２の鍵をネゴシエーションし、前記第２の鍵を前記暗号化モジュールに送信し、前記メディア・アプリケーション端末から第１の鍵を受信し、前記第１の鍵を前記復号化モジュールに送信するように構成され、
前記復号化モジュールは、前記受信された第１の鍵を用いて前記コンテンツ送信元装置からのメディア・コンテンツを復号化し、前記復号化されたメディア・コンテンツを前記メディア変換処理モジュールに送信するように構成され、
前記暗号化モジュールは、前記受信された第２の鍵を用いて前記メディア変換処理モジュールからのメディア・コンテンツを暗号化し、前記暗号化されたメディア・コンテンツを前記メディア・アプリケーション端末に送信するように構成された請求項１５に記載のメディア変換装置。
【請求項１８】
メディア迂回サービス・インタフェース・モジュールと、認証モジュールと、メディア・コンテンツ送信モジュールと、を備え、
前記メディア迂回サービス・インタフェース・モジュールは、メディア・アプリケーション端末からメディア送信迂回要求を受信した後に、前記メディア送信迂回要求を前記認証モジュールに送信し、前記認証モジュールから返却された認証ＩＤを受信し、前記認証ＩＤを前記メディア・アプリケーション端末に送信するように構成され、
前記認証モジュールは、前記メディア迂回サービス・インタフェース・モジュールから前記メディア送信迂回要求を受信した後に、前記メディア送信迂回要求と対応付けされた認証ＩＤを前記メディア迂回サービス・インタフェース・モジュールに送信し、前記メディア・コンテンツ送信モジュールからメディア・コンテンツ送信要求および前記認証ＩＤを受信した後に、前記認証ＩＤに従って前記メディア・コンテンツ送信要求が有効であるか否か判定し、前記メディア・コンテンツ送信要求が有効であると判定すると肯定応答メッセージを前記メディア・コンテンツ送信モジュールに送信するように構成され、
前記メディア・コンテンツ送信モジュールは、前記メディア変換装置からメディア・コンテンツＩＤを伝達するメディア・コンテンツ送信要求および前記認証ＩＤを受信した後に、前記メディア・コンテンツ送信要求および前記認証ＩＤを前記認証モジュールに転送し、前記認証モジュールから肯定応答メッセージを受信した後に、前記メディア・コンテンツＩＤによって特定されたメディア・コンテンツを前記メディア変換装置に送信するように構成されたコンテンツ送信元装置。
【請求項１９】
鍵ネゴシエーション・モジュールと、暗号化モジュールと、をさらに備え、
前記鍵ネゴシエーション・モジュールは、前記メディア・アプリケーション端末と鍵をネゴシエーションし、前記鍵を前記暗号化モジュールに送信するように構成され、
前記暗号化モジュールは、前記受信された鍵を用いて前記メディア・コンテンツ送信モジュールからのメディア・コンテンツを暗号化し、前記暗号化されたメディア・コンテンツを前記メディア変換装置に送信するように構成された請求項１８に記載のコンテンツ送信元装置。
【発明の詳細な説明】
【技術分野】
【０００１】
本発明は、マルチメディア通信技術に関し、特に、メディア・コンテンツを変換する方法およびシステム、メディア・アプリケーション端末、メディア変換装置、および、コンテンツ送信元装置に関する。
【０００２】
本願は、発明の名称を「メディア・コンテンツを変換する方法、システム、および、装置」とする２００７年７月１９日に中国特許庁に出願された中国特許出願第２００７１０１３０４５５．５に基づく優先権を主張し、その全体を引用してここに組み込む。
【背景技術】
【０００３】
マルチメディア通信において送信されるメディア・コンテンツは、映像ファイル、音声ファイル、および、画像を含む。映像ファイル、音声ファイル、および、画像のための多くのメディア符号化フォーマットが存在する。ネットワーク上で各種フォーマットのメディア・コンテンツを見つけることができる。さらに、異なるマルチメディア・コンテンツは、異なる解像度およびフレーム速度を有しうる。しかし、アプリケーション端末の限られた再生機能のために、同じアプリケーション端末で任意のフォーマットのメディア・コンテンツを再生できるわけではない。例えば、ＩＰ上の対話型テレビ用のセット・トップ・ボックス（ＩＰＴＶ  ＳＴＢ）は、ＭＰＥＧ２、ＭＰＥＧ４、および、Ｈ．２６４のうち１つまたは２つのみサポートすることができる。人々は皆、各種フォーマットのメディア・コンテンツがアプリケーション端末で再生できることを望む。
【０００４】
ホーム・ネットワークにおいて音声・映像（ＡＶ）アプリケーションの間で相互接続および相互通信を実現するために、デジタル・リビング・ネットワーク・アライアンス（ＤＬＮＡ）は、メディア・ストリームの送信の間にメディア・コンテンツ変換サービスの提供を指示する仮想メディア・サーバおよび仮想プレイヤーを提案している。ＤＬＮＡによって提案された仮想メディア・サーバは、実際のメディア・サーバの機能モジュールまたは独立の物理的な装置とすることが可能である。ＤＬＮＡによって提案された仮想プレイヤーは、実際のアプリケーション端末の機能モジュールまたは独立の物理的な装置とすることが可能である。仮想メディア・サーバは、メディア・アプリケーションにおいてプル・モードで使用される。すなわち、アプリケーション端末は、仮想メディア・サーバを通してメディア・リソースを閲覧および選択し、仮想メディア・サーバを通して実際のメディア・サーバから、選択されたメディア・リソースを要求し、メディア・ストリームが実際のメディア・サーバから流れると、メディア・ストリームは、まず、仮想メディア・サーバに向かって流れ、仮想メディア・サーバによってメディア・ストリームのフォーマットがアプリケーション端末によってサポートされるフォーマットに変換された後に、メディア・ストリームはアプリケーション端末に伝送される。仮想プレイヤーはメディア・アプリケーションにおいてプッシュ・モードで使用される。すなわち、アプリケーション端末がそのコンテンツを実際のプレイヤーにプッシュするとき、メディア・ストリームは、まず、仮想プレイヤーにプッシュされ、仮想プレイヤーによってメディア・ストリームのフォーマットが実際のプレイヤーによってサポートされるフォーマットに変換された後に、メディア・ストリームは結合された実際のプレイヤーに伝送される。
【発明の概要】
【発明が解決しようとする課題】
【０００５】
ＤＬＮＡによって説明されるプル・モードの適用において、メディア・アプリケーション端末は、仮想メディア・サーバにアクセスし、仮想メディア・サーバを通してコンテンツ送信元装置においてメディア・コンテンツを選択する。さらに、メディア・アプリケーション端末の全ての動作は、仮想メディア・サーバを通して実行される。従って、仮想メディア・サーバは、アプリケーション端末の再生機能を知り、メディア・アプリケーション端末によって選択されたメディア・コンテンツを変換するか否か判定することができる。実際のプル・モードのメディア・アプリケーションは、上記の適用形態に限定されない。例えば、ＤＬＮＡによって説明されるプル・モードの動作処理は、ユーザがネットワーク上でメディア・リソースのＵＲＩ（uniform resource identifier）を指定する場合、または、ユーザがウェブ・ページを閲覧するときメディア・リンクをクリックする場合に適用できない。この場合、動作処理は、仮想メディア・サーバを通して実現されないので、メディア・ストリームは仮想メディア・サーバを通過しない。ユーザのアプリケーション端末が特定されたメディア・リソースのフォーマットをサポートしないならば、ＤＬＮＡによって説明される方法は、ユーザにメディア・コンテンツ変換サービスを提供できない。
【０００６】
さらに、大多数のメディア・サーバ上のメディア・コンテンツは保護されない。例えば、メディア・コンテンツはＤＲＭ（digital rights management）の保護のもとにあり、または、装置およびユーザ識別情報が認証に合格するまでメディア・サービスは使用できない。ＤＬＮＡによって提案されているメディア・コンテンツを変換する上記の解決策は、ＤＲＭ認証、装置認証、および、ユーザ識別情報の認証の課題を解決しない。
【０００７】
要するに、先行技術におけるメディア・コンテンツを変換する解決策は、全てのプル・モードのシナリオをサポートできない。さらに、先行技術におけるメディア・コンテンツを変換する解決策は、認証の課題を解決しない。
【課題を解決するための手段】
【０００８】
本発明の一実施形態は、任意の適用においてメディア・コンテンツ変換および認証を実行する、メディア・コンテンツを変換する方法を提供する。
【０００９】
本発明の一実施形態は、任意の適用においてメディア・コンテンツ変換および認証を実行する、メディア・コンテンツを変換するシステムを提供する。
【００１０】
本発明の一実施形態は、任意のプル・モードの適用においてメディア・コンテンツ変換および認証を実行するメディア・アプリケーション端末を提供する。
【００１１】
本発明の一実施形態は、任意の適用においてメディア・コンテンツ変換および認証を実行するメディア変換装置を提供する。
【００１２】
本発明の一実施形態は、任意の適用においてメディア・コンテンツ変換および認証を実行するコンテンツ送信元装置を提供する。
【００１３】
本発明の技術的な解決策は次のように実現される。
【００１４】
メディア・コンテンツを変換する方法は、
メディア変換装置がメディア・アプリケーション端末からメディア変換サービス要求および認証ＩＤを受信する過程を有し、前記メディア変換サービス要求はメディア・コンテンツＩＤおよび前記メディア・アプリケーション端末の再生機能情報を伝達し、前記認証ＩＤは、コンテンツ送信元装置が前記メディア・アプリケーション端末からメディア送信迂回要求を受信した後に、前記メディア送信迂回要求と対応付けされ、かつ、前記コンテンツ送信元装置によって前記メディア・アプリケーション端末に送信され、
前記メディア変換装置が前記メディア・コンテンツＩＤを伝達するメディア・コンテンツ送信要求を前記コンテンツ送信元装置に送信し、前記認証ＩＤを前記コンテンツ送信元装置に送信する過程と、
前記コンテンツ送信元装置が前記認証ＩＤに従って前記メディア・コンテンツ送信要求が有効であると判定した後に、前記メディア変換装置が前記コンテンツ送信元装置から前記メディア・コンテンツＩＤによって特定されたメディア・コンテンツを受信し、前記メディア・アプリケーション端末の再生機能情報に従って前記受信されたメディア・コンテンツを変換し、前記変換されたメディア・コンテンツを前記メディア・アプリケーション端末に送信する過程と、
をさらに含む。
【００１５】
メディア・コンテンツを変換するシステムは、メディア・アプリケーション端末と、メディア変換装置と、コンテンツ送信元装置と、を含む。
【００１６】
前記メディア・アプリケーション端末は、メディア送信迂回要求を前記コンテンツ送信元装置に送信し、前記コンテンツ送信元装置から前記メディア送信迂回要求と対応付けされた認証ＩＤを受信し、メディア変換サービス要求および前記認証ＩＤを前記メディア変換装置に送信し、前記メディア変換サービス要求は、メディア・コンテンツＩＤおよび前記メディア・アプリケーション端末の再生機能情報を伝達し、前記メディア・アプリケーション端末は、前記メディア変換装置からメディア・コンテンツを受信するように構成される。
【００１７】
前記メディア変換装置は、前記メディア・アプリケーション端末から前記メディア・コンテンツＩＤおよび前記メディア・アプリケーション端末の再生機能情報を伝達するメディア変換サービス要求および認証ＩＤを受信した後に、前記認証ＩＤ、および、前記メディア・コンテンツＩＤを伝達するメディア・コンテンツ送信要求をコンテンツ送信元装置に送信し、前記コンテンツ送信元装置からメディア・コンテンツを受信し、前記受信されたメディア・アプリケーション端末の再生機能情報に従って前記メディア・コンテンツを変換し、前記変換されたメディア・コンテンツを前記メディア・アプリケーション端末に送信するように構成される。
【００１８】
前記コンテンツ送信元装置は、前記メディア・アプリケーション端末から前記メディア送信迂回要求を受信した後に、前記メディア送信迂回要求と対応付けされた認証ＩＤを前記メディア・アプリケーション端末に送信し、前記メディア変換装置からの認証ＩＤに従って前記送信迂回要求が有効であると判定した後に、前記メディア・コンテンツＩＤによって特定されたメディア・コンテンツを前記メディア変換装置に送信するように構成される。
【００１９】
メディア・アプリケーション端末は、メディア送信迂回要求モジュールと、メディア変換サービス要求モジュールと、を含む。
【００２０】
前記メディア送信迂回要求モジュールは、メディア送信迂回要求をコンテンツ送信元装置に送信し、前記コンテンツ送信元装置から前記メディア送信迂回要求と対応付けされた認証ＩＤを受信し、前記認証ＩＤを前記メディア変換サービス要求モジュールに送信するように構成される。
【００２１】
前記メディア変換サービス要求モジュールは、メディア変換サービス要求および前記認証ＩＤをメディア変換装置に送信し、前記メディア変換サービス要求は、メディア・コンテンツＩＤおよび前記メディア・アプリケーション端末の再生機能情報を伝達し、前記メディア変換装置からメディア・コンテンツを受信するように構成される。
【００２２】
メディア変換装置は、メディア変換サービス・インタフェース・モジュールと、メディア変換処理モジュールと、を含む。
【００２３】
前記メディア変換サービス・インタフェース・モジュールは、メディア・アプリケーション端末からメディア変換サービス要求および認証ＩＤを受信した後に、前記認証ＩＤ、および、メディア・コンテンツＩＤを伝達するメディア・コンテンツ送信要求をコンテンツ送信元装置に送信し、前記メディア変換サービス要求は、前記メディア・コンテンツＩＤおよび前記メディア・アプリケーション端末の再生機能情報を伝達し、前記メディア変換サービス・インタフェース・モジュールは、前記メディア・アプリケーション端末の再生機能情報を前記メディア変換処理モジュールに送信するように構成される。
【００２４】
前記メディア変換処理モジュールは、前記コンテンツ送信元装置からメディア・コンテンツ、および、前記メディア変換サービス・インタフェース・モジュールから前記メディア・アプリケーション端末の再生機能情報を受信し、前記受信されたメディア・コンテンツを変換し、前記変換されたメディア・コンテンツを前記メディア・アプリケーション端末に送信するように構成される。
【００２５】
前記コンテンツ送信元装置は、メディア迂回サービス・インタフェース・モジュールと、認証モジュールと、メディア・コンテンツ送信モジュールと、を含む。
【００２６】
前記メディア迂回サービス・インタフェース・モジュールは、メディア・アプリケーション端末からメディア送信迂回要求を受信した後に、前記メディア送信迂回要求を前記認証モジュールに送信し、前記認証モジュールから返却された認証ＩＤを受信し、前記認証ＩＤを前記メディア・アプリケーション端末に送信するように構成される。
【００２７】
前記認証モジュールは、前記メディア迂回サービス・インタフェース・モジュールからメディア送信迂回要求を受信した後に、前記メディア送信迂回要求と対応付けされた認証ＩＤを前記メディア迂回サービス・インタフェース・モジュールに送信し、前記メディア・コンテンツ送信モジュールから前記認証ＩＤを受信した後に、前記認証ＩＤが有効であるか否か判定し、前記認証ＩＤが有効であると判定すると肯定応答メッセージを前記メディア・コンテンツ送信モジュールに送信するように構成される。
【００２８】
前記メディア・コンテンツ送信モジュールは、前記メディア変換装置から前記認証ＩＤ、および、メディア・コンテンツＩＤを伝達するメディア・コンテンツ送信要求を受信した後に、前記認証ＩＤを前記認証モジュールに送信し、前記認証モジュールから前記肯定応答メッセージを受信した後に、前記メディア・コンテンツＩＤによって特定されたメディア・コンテンツを前記メディア変換装置に送信するように構成される。
【００２９】
本発明の一実施形態において、メディア・アプリケーション端末は、メディア送信迂回要求をコンテンツ送信元装置に送信し、コンテンツ送信元装置から認証ＩＤを取得し、メディア変換サービス要求および認証ＩＤをメディア変換装置に送信し、メディア変換サービス要求は、メディア・コンテンツＩＤおよびメディア・アプリケーション端末の再生機能情報を伝達し、メディア変換装置は、認証ＩＤ、および、メディア・コンテンツＩＤおよび認証ＩＤを伝達するメディア・コンテンツ送信要求をコンテンツ送信元装置に送信し、コンテンツ送信元装置は、認証ＩＤに従ってメディア・コンテンツ送信要求が有効であると判定した後に、メディア・コンテンツＩＤによって特定されたメディア・コンテンツをメディア変換装置に送信し、メディア変換装置は、メディア・アプリケーション端末の再生機能情報に従って、受信されたメディア・コンテンツを変換し、変換されたメディア・コンテンツをメディア・アプリケーション端末に送信する。従って、メディア・コンテンツ変換処理は、メディア・アプリケーション端末によって開始され、メディア・アプリケーション端末がどのようにメディア・コンテンツＩＤを取得するかに関係しない。すなわち、技術的な解決策は、メディア送信がメディア・コンテンツＩＤに従ってメディア・アプリケーション端末によって開始される任意の適用形態において、常に適用可能であり、同様に実現される。
【００３０】
さらに、本発明の実施形態において、コンテンツ送信元装置は、割り当てられた認証ＩＤをメディア・アプリケーション端末を通してメディア変換装置に送信し、メディア変換装置は、その認証ＩＤをコンテンツ送信元装置に送信し、それによって、コンテンツ送信元装置は、メディア変換装置からのメディア・コンテンツ送信要求を認証することが可能である。従って、メディア・コンテンツ変換処理の間に、メディア変換装置についての認証は、メディア・アプリケーション端末とコンテンツ送信元装置の間で実行することが可能であり、メディア変換装置は、直接、認証に関与しない。これは、メディア変換装置が、各種の認証システムにおいて使用されることを可能とし、異なる認証の形態に適合させるために、異なる認証システムのために異なるメディア変換装置を設計することを不要にする。
【図面の簡単な説明】
【００３１】
【図１】本発明の一実施形態における、メディア・コンテンツを変換する方法のフローチャートである。
【図２】図１に表わされている方法の具体的な適用のフローチャートである。
【図３】本発明の一実施形態における、メディア・コンテンツを変換するシステムの構成を表わす。
【図４】図３に表わされているメディア・アプリケーション端末３０１の内部構成および外部接続のブロック図である。
【図５】図３に表わされているメディア変換装置３０２の内部構成および外部接続のブロック図である。
【図６】図３に表わされているコンテンツ送信元装置３０３の内部構成および外部接続のブロック図である。
【図７】図３に表わされているメディア・コンテンツを変換するシステムが使用されるシナリオを表わす。
【発明を実施するための形態】
【００３２】
メディア・アプリケーションにおいて、メディア・アプリケーション端末は、メディア・コンテンツ送信要求をコンテンツ送信元装置に送信する。その要求を受信した後に、コンテンツ送信元装置は、メディア・コンテンツをメディア・アプリケーション端末に送信する。そのメディア・コンテンツを受信した後に、メディア・アプリケーション端末は、そのメディア・コンテンツを使用し、例えば、そのメディア・コンテンツを再生することが可能である。メディア・コンテンツは、各種の符号化フォーマットを有するので、メディア・アプリケーション端末によって要求されるメディア・コンテンツの符号は、メディア・アプリケーション端末によってサポートされない可能性がある。この場合、メディア・アプリケーション端末は、そのメディア・コンテンツを使用できず、例えば、そのメディア・コンテンツを再生できない。符号化フォーマットに加えて、メディア・コンテンツの解像度およびフレーム速度が、メディア・アプリケーション端末の要求条件を満たさない可能性がある。この場合も、メディア・アプリケーション端末は、メディア・コンテンツを再生できない。さらに、コンテンツ送信元装置とメディア・アプリケーション端末が異なるメディア伝送プロトコルをサポートするならば、メディア・アプリケーション端末は、メディア送信元装置からメディア・コンテンツを受信できない。上記の場合、メディア・コンテンツは変換される必要がある。
【００３３】
図１は、本発明の一実施形態における、メディア・コンテンツを変換する方法のフローチャートである。図１に表わされているように、この方法は次のステップを含む。
【００３４】
ステップ１０１：メディア・アプリケーション端末は、メディア送信迂回要求をコンテンツ送信元装置に送信し、コンテンツ送信元装置から認証ＩＤを受信し、ここで、認証ＩＤは、メディア送信迂回要求と対応付けされている。
【００３５】
ステップ１０２：メディア・アプリケーション端末は、メディア変換サービス要求をメディア変換装置に送信し、ここで、メディア変換サービス要求は、メディア・コンテンツＩＤおよびメディア・アプリケーション端末の再生機能情報を伝達し、メディア・アプリケーション端末は、認証ＩＤをメディア変換装置に送信する。
【００３６】
ステップ１０３：メディア変換装置は、メディア・コンテンツ送信要求をコンテンツ送信元装置に送信し、ここで、この要求は、メディア・コンテンツＩＤを伝達し、メディア変換装置は、認証ＩＤをコンテンツ送信元装置に送信する。コンテンツ送信元装置は、認証ＩＤに従ってメディア・コンテンツ送信要求が有効であると判定した後に、メディア・コンテンツＩＤによって特定されたメディア・コンテンツをメディア変換装置に送信する。
【００３７】
ステップ１０４：メディア変換装置は、メディア・アプリケーション端末の再生機能情報に従って、受信されたメディア・コンテンツを変換し、変換されたメディア・コンテンツをメディア・アプリケーション端末に送信する。
【００３８】
図１に表わされている上記のステップを通して、メディア変換装置は、メディア・アプリケーション端末にメディア変換サービスを提供し、コンテンツ送信元装置は、一意の認証ＩＤを使用して、メディア・コンテンツの送信を特定する。その結果、メディア変換装置は、各種の複雑な認証処理に直接に関与する必要がない。その代わりに、メディア変換装置は、一意の認証ＩＤを使用することによってコンテンツ送信元装置から信用を獲得するので、メディア変換装置が第三者として動作するメディア送信処理の間に、認証インタフェースが容易に実現される。
【００３９】
図２は、図１に表わされている方法の具体的な適用のフローチャートである。図２に表わされているように、この方法は次のステップを含む。
【００４０】
ステップ２０１：メディア・アプリケーション端末は、メディア・コンテンツ送信要求をコンテンツ送信元装置に送信し、ここで、メディア・コンテンツ送信要求は、メディア・コンテンツＩＤであるＵＲＩを伝達する。
【００４１】
このステップにおいて、メディア・アプリケーション端末は、ドメイン・ネーム・システム（ＤＮＳ）プロトコルを通してＵＲＩに含まれるコンテンツ送信元装置のドメイン名を解決してコンテンツ送信元装置のＩＰアドレスを取得し、リアルタイム・ストリーミング・プロトコル（ＲＴＳＰ）またはハイパーテキスト伝送プロトコル（ＨＴＴＰ）を通してコンテンツ送信元装置からのメディア・コンテンツを要求することができる。先行技術におけるこれらの詳細は、この技術分野の当業者に既に知られており、さらに説明はしない。
【００４２】
ステップ２０２：メディア・コンテンツ送信要求を受信した後に、コンテンツ送信元装置は、メディア・アプリケーション端末を認証する。認証が成功した後に、コンテンツ送信元装置は、メディア・アプリケーション端末の要求に応答し、メディア・アプリケーション端末との接続を設定し、ＵＲＩによって特定されたメディア・コンテンツをメディア・アプリケーション端末に送信する。
【００４３】
このステップにおいて、コンテンツ送信元装置がメディア・アプリケーション端末について実行する認証の形態は、ＤＲＭアプリケーション・システムによって異なる。
【００４４】
このステップにおいて、コンテンツ送信元装置とメディア・アプリケーション端末の間に設定される接続は、制御チャネルおよびメディア送信チャネルを含み、制御チャネルは、各種の制御信号を送信するように構成され、メディア送信チャネルは、実際のメディア・ストリームを送信するように構成される。メディア・アプリケーション端末およびコンテンツ送信元装置は、接続を設定するとき、伝送プロトコルおよびメディア説明情報をネゴシエーションする。また、メディア・アプリケーション端末は、コンテンツ送信元装置との接続を設定する前に、他の手段によって、要求されたメディア・コンテンツの説明情報を取得することが可能である。メディア・コンテンツの説明情報は、メディア・コンテンツの符号化フォーマットおよび解像度を含む。
【００４５】
このステップにおいて、送信のためにメディア・コンテンツが暗号化されるならば、メディア・アプリケーション端末およびコンテンツ送信元装置は、鍵Ｋ１をネゴシエーションする必要がある。
【００４６】
このステップにおいて、コンテンツ送信元装置およびメディア・アプリケーション端末は、伝送プロトコルおよびメディア・フォーマットのネゴシエーションに成功した後に接続を設定し、または、伝送プロトコルが合致しているならばメディア・フォーマットをネゴシエーションすることなく接続を設定することができる。
【００４７】
図２において、破線矢印は、メディア・コンテンツが送信される方向、すなわち、メディア・ストリームの方向を示す。
【００４８】
ステップ２０３：受信されたメディア・コンテンツを分析し、メディア・アプリケーション端末がメディア・コンテンツを再生できないことが分かった後に、メディア・アプリケーション端末は、メディア変換機能問い合わせメッセージをメディア変換装置に送信し、ここで、メディア変換機能問い合わせメッセージは、メディア・アプリケーション端末の再生機能情報およびメディア・コンテンツの説明情報を含む。
【００４９】
このステップにおいて、メディア・アプリケーション端末がメディア・コンテンツの説明情報を取得しないならば、メディア・アプリケーション端末は、メディア変換装置に送信されるメディア変換機能問い合わせメッセージにおいて、メディア・アプリケーション端末の再生機能情報のみ伝達することが可能である。
【００５０】
ステップ２０４：メディア変換装置は、受信されたメディア・アプリケーション端末の再生機能情報およびメディア・コンテンツの説明情報を比較し、利用可能な変換機能およびメディア変換装置の残りの帯域幅に従ってメディア変換を実現できるか判定する。メディア変換を実現できると判定すると、メディア変換装置は、メディア変換を実現できることを示す応答メッセージをメディア・アプリケーション端末に送信する。そうでなければ、メディア変換装置は、拒否メッセージをメディア・アプリケーション端末に送信する。この実施形態において、メディア変換装置は、メディア・アプリケーション端末の要求条件に従ってメディア変換を実現することが可能である。
【００５１】
このステップにおいて、メディア変換装置がメディア・アプリケーション端末の再生機能情報のみ受信し、メディア・コンテンツの説明情報を受信しない、すなわち、ステップ２０３において、メディア・アプリケーション端末がメディア変換装置に送信されるメディア変換機能問い合わせメッセージにおいてメディア・アプリケーション端末の再生機能情報のみ伝達するならば、メディア変換装置は、変換を実現できるとみなし、変換を実現できることを示す応答メッセージをメディア・アプリケーション端末に送信することが可能である。
【００５２】
ステップ２０５：メディア変換装置から変換を実現できることを示す応答メッセージを受信した後に、メディア・アプリケーション端末は、メディア送信迂回要求をコンテンツ送信元装置に送信する。
【００５３】
このステップにおいて、メディア送信迂回要求は、送信方向を変更することが必要なメディア・コンテンツのＵＲＩを伝達することが可能である。ステップ２０１から開始して、コンテンツ送信元装置は、メディア・アプリケーション端末とのセッションを設定する。メディア送信迂回要求は、そのセッションの過程におけるステップである。従って、メディア送信迂回要求は、ＵＲＩを伝達しなくてもよい。メディア・アプリケーション端末がコンテンツ送信元装置とのセッションを終了し、メディア送信迂回要求を開始するために他のセッションを設定するならば、メディア送信迂回要求はＵＲＩを伝達すべきである。
【００５４】
このステップにおいて、メディア・アプリケーション端末がメディア送信迂回要求を送信する意図は、コンテンツ送信元装置に、メディア・アプリケーション端末でなく他のアドレスにＵＲＩによって特定されたメディア・コンテンツを送信することを要求することである。ＵＲＩは、特定されたメディア・コンテンツが配置されている装置のＩＰアドレスまたはドメイン名、および、装置上のメディア・コンテンツのディレクトリおよびファイル名を含む。しかし、ＵＲＩにおけるディレクトリおよびファイル名は、メディア・コンテンツが配置されている装置のファイルシステム内で見られるディレクトリおよびファイル名と同じでなくてもよい。
【００５５】
このステップにおいて、メディア・アプリケーション端末は、ステップ２０２において設定されたメディア・アプリケーション端末とコンテンツ送信元装置の間のメディア送信チャネルを切断することが可能である。また、コンテンツ送信元装置は、メディア送信迂回要求を受信した後に、メディア送信チャネルを切断することが可能である。
【００５６】
ステップ２０６：メディア・アプリケーション端末からメディア送信迂回要求を受信した後に、コンテンツ送信元装置は、応答メッセージをメディア・アプリケーション端末に返却し、ここで、この応答メッセージは、メディア送信迂回が許可されたことを示し、続く認証のために認証ＩＤであるＲＩＤを伝達する。
【００５７】
メディア送信元装置がＲＩＤを作成し、続く認証を実行する方法は、本発明のこの実施形態において限定されない。この技術分野の当業者は、多くの実現可能な方法を使用することが可能である。例えば、ＲＩＤは、要求されるメディア・コンテンツのＵＲＩおよびアプリケーション端末の装置ＩＤまたは認証キーのダイジェストを含む。
【００５８】
このステップにおいて、コンテンツ送信元装置は、コンテンツ送信元装置とメディア・アプリケーション端末の間で、暗号化されたメディア・コンテンツを送信するために鍵Ｋ１を更新することが可能である。
【００５９】
コンテンツ送信元装置がメディア・アプリケーション端末からのメディア送信迂回要求を拒否し、または、メディア送信迂回要求に応答しないならば、この処理は終了する。
【００６０】
ステップ２０７：コンテンツ送信元装置からメディア送信迂回要求への応答を受信した後に、メディア・アプリケーション端末は、メディア変換サービス要求をメディア変換装置に送信し、ここで、メディア変換サービス要求は、ＵＲＩ、メディア・アプリケーション端末とコンテンツ送信元装置の間のＫ１、および、コンテンツ送信元装置からのＲＩＤを伝達する。
【００６１】
ステップ２０３はオプションである。メディア・アプリケーション端末が、メディア変換を実現できるか否かについての情報をメディア変換装置に問い合わせない、すなわち、ステップ２０３およびステップ２０４が実行されないならば、ステップ２０７においてメディア変換装置に送信されるメディア変換サービス要求は、メディア変換装置が続く処理においてメディア・コンテンツを変換できるように、メディア・アプリケーション端末の再生機能情報を伝達する必要がある。メディア変換サービス要求は、メディア変換を実現できるか否かをメディア変換装置が判定できるように、さらにメディア・コンテンツの説明情報を伝達することが可能であり、ここではさらに説明はしない。
【００６２】
ステップ２０８：メディア・アプリケーション端末からメディア変換サービス要求を受信した後に、メディア変換装置は、メディア・アプリケーション端末とのメディア接続を設定して、メディア・コンテンツを暗号化するために必要なＫ２をネゴシエーションする。
【００６３】
ステップ２０９：メディア変換装置は、メディア・コンテンツ送信要求をコンテンツ送信元装置に送信し、ここで、メディア・コンテンツ送信要求は、ＵＲＩおよびＲＩＤを伝達する。
【００６４】
ステップ２１０：メディア変換装置からメディア・コンテンツ送信要求を受信した後に、コンテンツ送信元装置は、この要求において伝達されたＵＲＩおよびＲＩＤに従ってメディア変換装置を認証し、認証が成功した後に、メディア変換装置とのメディア接続を設定し、ＵＲＩによって特定されたメディア・コンテンツをメディア変換装置に送信する。
【００６５】
ステップ２１１：コンテンツ送信元装置からメディア・コンテンツを受信した後に、メディア変換装置は、Ｋ１を用いてメディア・コンテンツを復号化し、符号変換、解像度変換、フレーム速度変換を含む、メディア・アプリケーション端末の再生機能情報に従ってメディア・コンテンツ変換を実行し、Ｋ２を用いて、変換されたメディア・コンテンツを暗号化する。
【００６６】
このステップにおいて、コンテンツ送信元装置からのメディア・コンテンツを変換できないことが分かると、メディア変換装置は、メディア・アプリケーション端末に変換失敗を通知し、コンテンツ送信元装置から接続を切断する。そして、処理は終了する。
【００６７】
ステップ２１２：メディア変換装置は、変換され、再度暗号化されたメディア・コンテンツをメディア・アプリケーション端末に送信する。
【００６８】
ステップ２１３：メディア・アプリケーション端末は、Ｋ２を用いてメディア変換装置からのメディア・コンテンツを復号化し、復号化されたメディア・コンテンツを再生する。
【００６９】
メディア・コンテンツ変換処理は終了する。
【００７０】
上記の処理において、メディア変換装置は、コンテンツ送信元装置によってサポートされる伝送プロトコルを通してコンテンツ送信元装置からメディア・コンテンツを受信し、メディア・アプリケーション端末によってサポートされる伝送プロトコルを通してメディア・コンテンツをメディア・アプリケーション端末に送信し、従って、メディア伝送プロトコルの変換を実現する。
【００７１】
暗号方式は、対称暗号と非対称暗号に分類される。対称方式において、図２に表わされているＫ１とＫ２は、暗号鍵と復号鍵の両方である。非対称方式において、Ｋ１とＫ２は、状況に応じて、鍵ペアの暗号鍵または復号鍵、または、鍵ペアとすることが可能である。
【００７２】
図２に表わされている実施形態において、ステップ２０７におけるメディア変換サービス要求、および、ステップ２０９におけるメディア・コンテンツ送信要求は、ＲＩＤを伝達せず、ＲＩＤは他の手段によって送信することが可能である。例えば、メディア変換装置からメディア・コンテンツ送信要求を受信した後に、コンテンツ送信元装置はＲＩＤについてメディア変換装置に問い合わせ、コンテンツ送信元装置からＲＩＤ問い合わせメッセージを受信した後に、メディア変換装置はＲＩＤについてメディア・アプリケーション端末に問い合わせ、メディア変換装置からＲＩＤ問い合わせメッセージを受信した後に、メディア・アプリケーション端末はＲＩＤをメディア変換装置に送信し、そして、メディア変換装置はＲＩＤをコンテンツ送信元装置に送信する。
【００７３】
図３は、本発明の一実施形態における、メディア・コンテンツを変換するシステムの構成を表わす。図３に表わされているように、このシステムは、メディア・アプリケーション端末３０１、メディア変換装置３０２、および、コンテンツ送信元装置３０３を含む。
【００７４】
図３に表わされているように、メディア・アプリケーション端末３０１は、メディア送信迂回要求をコンテンツ送信元装置３０３に送信し、コンテンツ送信元装置３０３からメディア送信迂回要求と対応付けされた認証ＩＤを受信し、メディア変換サービス要求および認証ＩＤをメディア変換装置３０２に送信し、メディア変換サービス要求は、メディア・コンテンツＩＤおよびメディア・アプリケーション端末３０１の再生機能情報を伝達し、メディア・アプリケーション端末３０１は、メディア変換装置３０２からメディア・コンテンツを受信するように構成される。
【００７５】
メディア変換装置３０２は、メディア・コンテンツＩＤおよびメディア・アプリケーション端末３０１の再生機能情報を伝達するメディア変換サービス要求および認証ＩＤを受信した後に、認証ＩＤ、および、メディア・コンテンツＩＤを伝達するメディア・コンテンツ送信要求をコンテンツ送信元装置３０３に送信し、コンテンツ送信元装置３０３からメディア・コンテンツを受信し、受信されたメディア・アプリケーション端末３０１の再生機能情報に従ってメディア・コンテンツを変換し、変換されたメディア・コンテンツをメディア・アプリケーション端末３０１に送信するように構成される。
【００７６】
コンテンツ送信元装置３０３は、メディア・アプリケーション端末３０１からメディア送信迂回要求を受信した後に、メディア送信迂回要求と対応付けされた認証ＩＤをメディア・アプリケーション端末３０１に送信し、メディア変換装置３０２からの認証ＩＤに従ってメディア・コンテンツ送信要求が有効であると判定した後に、メディア・コンテンツＩＤによって特定されたメディア・コンテンツをメディア変換装置３０２に送信するように構成される。
【００７７】
メディア・コンテンツＩＤを伝達するメディア送信迂回要求がコンテンツ送信元装置３０３に送信される前に、メディア・アプリケーション端末３０１は、さらに、コンテンツ送信元装置３０３による認証を受け取り、コンテンツ送信元装置３０３からメディア・コンテンツＩＤによって特定されたメディア・コンテンツを取得し、メディア・アプリケーション端末３０１が受信されたメディア・コンテンツを再生できないことが分かると、メディア送信迂回要求をコンテンツ送信元装置３０３に送信するように構成される。コンテンツ送信元装置３０３は、さらに、メディア・アプリケーション端末３０１を認証し、認証が成功した後に、メディア・コンテンツをメディア・アプリケーション端末３０１に送信するように構成される。
【００７８】
メディア・アプリケーション端末３０１は、さらに、メディア変換機能問い合わせメッセージをメディア変換装置３０２に送信するように構成され、ここで、メディア変換機能問い合わせメッセージは、メディア・アプリケーション端末の再生機能情報およびメディア・コンテンツの説明情報を伝達する。メディア変換装置３０２は、さらに、メディア変換機能問い合わせメッセージにおいて伝達されたメディア・アプリケーション端末の再生機能情報およびメディア・コンテンツの説明情報、および、メディア変換装置のメディア・コンテンツ変換機能に従って変換サービスを提供できるか否か判定し、変換サービスを提供できると判定すると変換を実現できることを示す応答メッセージをメディア・アプリケーション端末３０１に送信するように構成される。
【００７９】
コンテンツ送信元装置３０３は、さらに、メディア・アプリケーション端末３０１と第１の鍵をネゴシエーションし、第１の鍵を用いてメディア・コンテンツを暗号化し、暗号化されたメディア・コンテンツをメディア変換装置３０２に送信するように構成される。メディア・アプリケーション端末３０１は、さらに、コンテンツ送信元装置３０３と第１の鍵をネゴシエーションし、コンテンツ変換装置３０２と第２の鍵をネゴシエーションし、第１の鍵をメディア変換装置３０２に送信し、第２の鍵を用いてメディア変換装置３０２からのメディア・コンテンツを復号化するように構成される。メディア変換装置３０２は、さらに、メディア・アプリケーション端末３０１と第２の鍵をネゴシエーションし、メディア・アプリケーション端末３０１から第１の鍵を受信し、第１の鍵を用いてコンテンツ送信元装置３０３からのメディア・コンテンツを復号化し、復号化されたメディア・コンテンツを変換し、第２の鍵を用いて、処理されたメディア・コンテンツを暗号化し、暗号化されたメディア・コンテンツをメディア・アプリケーション端末３０１に送信するように構成される。
【００８０】
メディア・アプリケーション端末３０１は、さらに、メディア制御情報をコンテンツ送信元装置３０３に送信するように構成することが可能である。コンテンツ送信元装置３０３は、さらに、受信されたメディア制御情報に従って、メディア変換装置３０２に送信されるメディア・コンテンツのデータ・ストリームを制御するように構成することが可能である。
【００８１】
図４は、図３に表わされているメディア・アプリケーション端末３０１の内部構成および外部接続のブロック図である。図４に表わされているように、メディア・アプリケーション端末３０１は、メディア送信迂回要求モジュール４０１およびメディア変換サービス要求モジュール４０２を含む。
【００８２】
図４において、メディア送信迂回要求モジュール４０１は、メディア送信迂回要求をコンテンツ送信元装置３０３に送信し、コンテンツ送信元装置３０３からメディア送信迂回要求と対応付けされた認証ＩＤを受信し、認証ＩＤをメディア変換サービス要求モジュール４０２に送信するように構成される。
【００８３】
メディア変換サービス要求モジュール４０２は、メディア変換サービス要求および認証ＩＤをメディア変換装置３０２に送信し、メディア変換サービス要求は、メディア・コンテンツＩＤおよびメディア・アプリケーション端末の再生機能情報を伝達し、メディア変換サービス要求モジュール４０２は、メディア変換装置３０２からメディア・コンテンツを受信するように構成される。
【００８４】
図４におけるメディア・アプリケーション端末３０１は、鍵ネゴシエーション・モジュール４０３および復号化モジュール４０４をさらに含み、これらは破線で表わされている。
【００８５】
図４において、鍵ネゴシエーション・モジュール４０３は、コンテンツ送信元装置３０３と第１の鍵をネゴシエーションし、メディア変換装置３０２と第２の鍵をネゴシエーションし、第１の鍵をメディア変換装置３０２に送信し、第２の鍵を復号化モジュール４０４に送信するように構成される。メディア変換サービス要求モジュール４０２は、さらに、受信されたメディア・コンテンツを復号化モジュール４０４に送信するように構成される。復号化モジュールは、受信された第２の鍵を用いて、受信されたメディア・コンテンツを復号化するように構成される。
【００８６】
図４に表わされているメディア・アプリケーション端末は、任意の応用に適用可能であり、同様に実現される。さらに、メディア・アプリケーション端末は認証を実現することができる。
【００８７】
図５は、図３に表わされているメディア変換装置３０２の内部構成および外部接続のブロック図である。図３に表わされているように、メディア変換装置３０２は、メディア変換サービス・インタフェース・モジュール５０１およびメディア変換処理モジュール５０２を含む。
【００８８】
図５において、メディア変換サービス・インタフェース・モジュール５０１は、メディア・アプリケーション端末３０１からメディア変換サービス要求および認証ＩＤを受信した後に、認証ＩＤ、および、メディア・コンテンツＩＤを伝達するメディア・コンテンツ送信要求をコンテンツ送信元装置３０３に送信し、メディア変換サービス要求は、メディア・コンテンツＩＤおよびメディア・アプリケーション端末３０１の再生機能情報を伝達し、メディア変換サービス・インタフェース・モジュール５０１は、メディア・アプリケーション端末３０１の再生機能情報をメディア変換処理モジュール５０２に送信するように構成される。
【００８９】
メディア変換処理モジュール５０２は、コンテンツ送信元装置３０３からメディア・コンテンツ、および、メディア変換サービス・インタフェース・モジュール５０１からメディア・アプリケーション端末３０１の再生機能情報を受信し、メディア・アプリケーション端末３０１の再生機能情報に従って、受信されたメディア・コンテンツを変換し、変換されたメディア・コンテンツをメディア・アプリケーション端末３０１に送信するように構成される。
【００９０】
図５において、メディア変換サービス・インタフェース・モジュール５０１は、さらに、メディア・アプリケーション端末３０１からメディア変換機能問い合わせメッセージを受信し、メディア変換機能問い合わせメッセージは、メディア・アプリケーション端末の再生機能情報およびメディア・コンテンツの説明情報を伝達し、メディア変換サービス・インタフェース・モジュール５０１は、メディア変換機能問い合わせメッセージにおいて伝達されたメディア・アプリケーション端末の再生機能情報およびメディア・コンテンツの説明情報、および、メディア変換サービス・インタフェース・モジュールのメディア・コンテンツ変換機能に従って変換サービスを提供できるか否か判定し、変換サービスを提供できると判定すると、変換を実現できることを示す応答メッセージをメディア・アプリケーション端末３０１に送信するように構成される。
【００９１】
図５におけるメディア変換装置３０２は、鍵ネゴシエーション・モジュール５０３、暗号化モジュール５０４、および、復号化モジュール５０５をさらに含み、これらは破線で表されている。鍵ネゴシエーション・モジュール５０３は、メディア・アプリケーション端末３０１と第２の鍵をネゴシエーションし、第２の鍵を暗号化モジュール５０４に送信し、メディア・アプリケーション端末３０１から第１の鍵を受信し、第１の鍵を復号化モジュール５０５に送信するように構成される。復号化モジュール５０５は、受信された第１の鍵を用いてコンテンツ送信元装置３０３からのメディア・コンテンツを復号化し、復号化されたメディア・コンテンツをメディア変換処理モジュール５０２に送信するように構成される。暗号化モジュール５０４は、受信された第２の鍵を用いてメディア変換処理モジュール５０２からのメディア・コンテンツを暗号化し、暗号化されたメディア・コンテンツをメディア・アプリケーション端末３０１に送信するように構成される。
【００９２】
図５に表わされているメディア変換装置３０２は、任意の応用に適用可能であり、同様に実現される。さらに、メディア・アプリケーション端末３０２は認証を実現することができる。
【００９３】
図６は、図３に表わされているコンテンツ送信元装置３０３の内部構成および外部接続のブロック図である。図６に表わされているように、コンテンツ送信元装置３０３は、メディア迂回サービス・インタフェース・モジュール６０１、認証モジュール６０２、および、メディア・コンテンツ送信モジュール６０３を含む。
【００９４】
メディア迂回サービス・インタフェース・モジュール６０１は、メディア・アプリケーション端末３０１からメディア送信迂回要求を受信した後に、メディア送信迂回要求を認証モジュール６０２に送信し、認証モジュール６０２から返却された認証ＩＤを受信し、この認証ＩＤをメディア・アプリケーション端末に送信するように構成される。
【００９５】
認証モジュール６０２は、メディア迂回サービス・インタフェース・モジュール６０１からメディア送信迂回要求を受信した後に、このメディア送信迂回要求と対応付けされた認証ＩＤをメディア迂回サービス・インタフェース・モジュール６０１に送信し、メディア・コンテンツ送信モジュール６０３からメディア・コンテンツ送信要求および認証ＩＤを受信した後に、この認証ＩＤに従ってメディア・コンテンツ送信要求が有効であるか否か判定し、メディア・コンテンツ送信要求が有効であると判定すると肯定応答メッセージをメディア・コンテンツ送信モジュール６０３に送信するように構成される。
【００９６】
メディア・コンテンツ送信モジュール６０３は、メディア変換装置３０２から認証ＩＤ、および、メディア・コンテンツＩＤを伝達するメディア・コンテンツ送信要求を受信した後に、メディア・コンテンツ送信要求および認証ＩＤを認証モジュール６０２に転送し、認証モジュール６０２から肯定応答メッセージを受信した後に、メディア・コンテンツＩＤによって特定されたメディア・コンテンツをメディア変換装置３０２に送信するように構成される。
【００９７】
図６におけるコンテンツ送信元装置３０３は、鍵ネゴシエーション・モジュール６０４および暗号化モジュール６０５をさらに含み、これら破線で表わされている。鍵ネゴシエーション・モジュール６０４は、メディア・アプリケーション端末３０１と鍵をネゴシエーションし、その鍵を暗号化モジュール６０５に送信するように構成される。
【００９８】
暗号化モジュール６０５は、受信された鍵を用いてメディア・コンテンツ送信モジュール６０３からのメディア・コンテンツを暗号化し、暗号化されたメディア・コンテンツをメディア変換装置３０２に送信するように構成される。
【００９９】
図６に表わされているコンテンツ送信元装置３０３は、任意の応用に適用可能であり、同様に実現される。さらに、コンテンツ送信元装置３０３はメディア変換装置を認証することができる。
【０１００】
図７は、図３に表わされているメディア・コンテンツを変換するシステムが使用されるシナリオを表わす。図７は、ホーム・ネットワークのネットワーク図を表わす。メディア・アプリケーション端末およびメディア変換装置は、ホーム・ネットワーク内に配置されるが、コンテンツ送信元装置は、ホーム・ネットワークの内部または外部に配置することが可能である。コンテンツ送信元装置がホーム・ネットワークの外部に配置されるとき、コンテンツ送信元装置は、ホーム・ゲートウェイを通してホーム・ネットワーク内の装置と通信することが可能である。
【０１０１】
要するに、本発明の実施形態において、メディア・アプリケーション端末は、メディア送信迂回要求をコンテンツ送信元装置に送信し、コンテンツ送信元装置から認証ＩＤを取得し、メディア変換サービス要求および認証ＩＤをメディア変換装置に送信し、メディア変換サービス要求は、メディア・コンテンツＩＤおよびメディア・アプリケーション端末の再生機能情報を伝達し、メディア変換装置は、認証ＩＤ、および、メディア・コンテンツＩＤを伝達するメディア・コンテンツ送信要求をコンテンツ送信元装置に送信し、コンテンツ送信元装置は、認証ＩＤが有効であると判定した後に、メディア・コンテンツＩＤによって特定されたメディア・コンテンツをメディア変換装置に送信し、メディア変換装置は、メディア・アプリケーション端末の再生機能情報に従って、受信されたメディア・コンテンツを変換し、変換されたメディア・コンテンツをメディア・アプリケーション端末に送信する。従って、メディア・コンテンツ変換処理は、メディア・アプリケーション端末によって開始され、メディア・アプリケーション端末がどのようにメディア・コンテンツＩＤを取得するかに関係しない。すなわち、技術的な解決策は、メディア送信がメディア・コンテンツＩＤに従ってメディア・アプリケーション端末によって開始される任意の適用形態において、常に適用可能であり、同様に実現される。
【０１０２】
さらに、本発明の実施形態において、コンテンツ送信元装置は、割り当てられた認証ＩＤをメディア・アプリケーション端末を通してメディア変換装置に送信し、メディア変換装置は、その認証ＩＤをコンテンツ送信元装置に送信し、それによって、コンテンツ送信元装置は、メディア変換装置からのメディア・コンテンツ送信要求を認証することが可能である。従って、メディア・コンテンツ変換処理の間に、メディア変換装置についての認証は、メディア・アプリケーション端末とコンテンツ送信元装置の間で実行することが可能であり、メディア変換装置は、直接、認証に関与しない。これは、メディア変換装置が、各種の認証システムにおいて使用されることを可能とし、異なる認証の形態に適合させるために、異なる認証システムのために異なるメディア変換装置を設計することを不要にする。
【０１０３】
本発明をいくつかの実施形態を通して説明したが、本発明は、そのような実施形態に限定されない。この技術分野の当業者は、本発明の思想および範囲から逸脱することなく、本発明への様々な修正および変形ができることを理解すべきである。その修正および変形が特許請求の範囲によって定義された保護範囲およびそれらの均等物に含まれるならば、本発明はその修正および変形を含むと解釈される。
【符号の説明】
【０１０４】
３０１  ・・・  メディア・アプリケーション端末
３０２  ・・・  メディア変換装置
３０３  ・・・  コンテンツ送信元装置
４０１  ・・・  メディア送信迂回要求モジュール
４０２  ・・・  メディア変換サービス要求モジュール
４０３  ・・・  鍵ネゴシエーション・モジュール
４０４  ・・・  復号化モジュール
５０１  ・・・  メディア変換サービス・インタフェース・モジュール
５０２  ・・・  メディア変換処理モジュール
５０３  ・・・  鍵ネゴシエーション・モジュール
５０４  ・・・  暗号化モジュール
５０５  ・・・  復号化モジュール
６０１  ・・・  メディア迂回サービス・インタフェース・モジュール
６０２  ・・・  認証モジュール
６０３  ・・・  メディア・コンテンツ送信モジュール
６０４  ・・・  鍵ネゴシエーション・モジュール
６０５  ・・・  暗号化モジュール
【図１】
2010524412.tif 000003
【図２】
2010524412.tif 000004
【図３】
2010524412.tif 000005
【図４】
2010524412.tif 000006
【図５】
2010524412.tif 000007
【図６】
2010524412.tif 000008
【図７】
2010524412.tif 000009
【手続補正書】
【提出日】平成21年10月14日(2009.10.14)
【手続補正１】
【補正対象書類名】明細書
【補正対象項目名】０００５
【補正方法】変更
【補正の内容】
【０００５】
ＤＬＮＡによって説明されるプル・モードの適用において、メディア・アプリケーション端末は、仮想メディア・サーバにアクセスし、仮想メディア・サーバを通してコンテンツ送信元装置においてメディア・コンテンツを選択する。さらに、メディア・アプリケーション端末の全ての動作は、仮想メディア・サーバを通して実行される。従って、仮想メディア・サーバは、アプリケーション端末の再生機能を知り、メディア・アプリケーション端末によって選択されたメディア・コンテンツを変換するか否か判定することができる。プル・モードのメディア・アプリケーションは、上記の適用形態に限定される。ＤＬＮＡによって説明されるプル・モードの動作処理は、ユーザがネットワーク上でメディア・リソースのＵＲＩ（uniform resource identifier）を指定する場合、または、ユーザがウェブ・ページを閲覧するときメディア・リンクをクリックする場合に適用できない。この場合、動作処理は、仮想メディア・サーバを通して実現されないので、メディア・ストリームは仮想メディア・サーバを通過しない。ユーザのアプリケーション端末が特定されたメディア・リソースのフォーマットをサポートしないならば、ＤＬＮＡによって説明される方法は、メディア・ストリームが仮想メディア・サーバを通過しないときユーザにメディア・コンテンツ変換サービスを提供できない。
【手続補正２】
【補正対象書類名】明細書
【補正対象項目名】００１８
【補正方法】変更
【補正の内容】
【００１８】
前記コンテンツ送信元装置は、前記メディア・アプリケーション端末から前記メディア送信迂回要求を受信した後に、前記メディア送信迂回要求と対応付けされた認証ＩＤを前記メディア・アプリケーション端末に送信し、前記メディア変換装置から前記メディア・コンテンツＩＤを伝達するメディア・コンテンツ送信要求および前記認証ＩＤを受信し、前記メディア変換装置からの認証ＩＤに従って前記メディア・コンテンツ送信要求が有効であると判定した後に、前記メディア・コンテンツＩＤによって特定されたメディア・コンテンツを前記メディア変換装置に送信するように構成される。
【手続補正３】
【補正対象書類名】明細書
【補正対象項目名】００２９
【補正方法】変更
【補正の内容】
【００２９】
本発明の一実施形態において、メディア・アプリケーション端末は、メディア送信迂回要求をコンテンツ送信元装置に送信し、コンテンツ送信元装置から認証ＩＤを取得し、メディア変換サービス要求および認証ＩＤをメディア変換装置に送信し、メディア変換サービス要求は、メディア・コンテンツＩＤおよびメディア・アプリケーション端末の再生機能情報を伝達し、メディア変換装置は、認証ＩＤ、および、メディア・コンテンツＩＤを伝達するメディア・コンテンツ送信要求をコンテンツ送信元装置に送信し、コンテンツ送信元装置は、認証ＩＤに従ってメディア・コンテンツ送信要求が有効であると判定した後に、メディア・コンテンツＩＤによって特定されたメディア・コンテンツをメディア変換装置に送信し、メディア変換装置は、メディア・アプリケーション端末の再生機能情報に従って、受信されたメディア・コンテンツを変換し、変換されたメディア・コンテンツをメディア・アプリケーション端末に送信する。従って、メディア・コンテンツ変換処理は、メディア・アプリケーション端末によって開始され、メディア・アプリケーション端末がどのようにメディア・コンテンツＩＤを取得するかに関係しない。すなわち、技術的な解決策は、メディア送信がメディア・コンテンツＩＤに従ってメディア・アプリケーション端末によって開始される任意の適用形態において、常に適用可能であり、同様に実現される。
【手続補正４】
【補正対象書類名】明細書
【補正対象項目名】００７６
【補正方法】変更
【補正の内容】
【００７６】
コンテンツ送信元装置３０３は、メディア・アプリケーション端末３０１からメディア送信迂回要求を受信した後に、メディア送信迂回要求と対応付けされた認証ＩＤをメディア・アプリケーション端末３０１に送信し、メディア変換装置３０２からメディア・コンテンツＩＤを伝達するメディア・コンテンツ送信要求および認証ＩＤを受信し、メディア変換装置３０２からの認証ＩＤに従ってメディア・コンテンツ送信要求が有効であると判定した後に、メディア・コンテンツＩＤによって特定されたメディア・コンテンツをメディア変換装置３０２に送信するように構成される。
【手続補正５】
【補正対象書類名】明細書
【補正対象項目名】００８７
【補正方法】変更
【補正の内容】
【００８７】
図５は、図３に表わされているメディア変換装置３０２の内部構成および外部接続のブロック図である。図５に表わされているように、メディア変換装置３０２は、メディア変換サービス・インタフェース・モジュール５０１およびメディア変換処理モジュール５０２を含む。
【手続補正６】
【補正対象書類名】特許請求の範囲
【補正対象項目名】全文
【補正方法】変更
【補正の内容】
【特許請求の範囲】
【請求項１】
メディア・コンテンツを変換する方法であって、
メディア変換装置がメディア・アプリケーション端末からメディア・コンテンツＩＤおよび前記メディア・アプリケーション端末の再生機能情報を受信する過程と、
前記メディア変換装置が前記メディア・コンテンツＩＤを伝達するメディア・コンテンツ送信要求をコンテンツ送信元装置に送信する過程と、
前記メディア変換装置が前記コンテンツ送信元装置から前記メディア・コンテンツＩＤによって特定されたメディア・コンテンツを受信する過程と、
前記メディア変換装置が前記メディア・アプリケーション端末の再生機能情報に従って前記受信されたメディア・コンテンツを変換し、前記変換されたメディア・コンテンツを前記メディア・アプリケーション端末に送信する過程と、
を有する方法。
【請求項２】
前記メディア変換装置が前記メディア・アプリケーション端末から認証ＩＤを受信する過程をさらに有し、前記認証ＩＤは、前記コンテンツ送信元装置が前記メディア・アプリケーション端末からメディア送信迂回要求を受信した後に、前記メディア送信迂回要求と対応付けされ、かつ、前記コンテンツ送信元装置によって前記メディア・アプリケーション端末に送信され、
前記メディア変換装置が前記認証ＩＤを前記コンテンツ送信元装置に送信する過程をさらに有し、
前記コンテンツ送信元装置から前記メディア・コンテンツＩＤによって特定されたメディア・コンテンツを受信する前に、前記方法は、
前記コンテンツ送信元装置が、前記認証ＩＤに従って前記メディア・コンテンツ送信要求が有効であると判定する過程をさらに有する請求項１に記載の方法。
【請求項３】
前記メディア変換装置が前記メディア・アプリケーション端末から前記認証ＩＤ、前記メディア・コンテンツＩＤ、および、前記メディア・アプリケーション端末の再生機能情報を受信する過程は、前記メディア変換装置が前記メディア・アプリケーション端末からメディア変換サービス要求において伝達された認証ＩＤ、メディア・コンテンツＩＤ、および、メディア・アプリケーション端末の再生機能情報を受信する過程を有し、かつ／または、
前記メディア変換装置が前記認証ＩＤをコンテンツ送信元装置に送信する過程は、前記コンテンツ送信元装置に送信されるメディア・コンテンツ送信要求において認証ＩＤを伝達する過程を有する請求項２に記載の方法。
【請求項４】
前記メディア変換装置が前記メディア・コンテンツ送信要求を前記コンテンツ送信元装置に送信した後に、
前記方法は、
前記メディア変換装置が前記コンテンツ送信元装置から認証ＩＤ問い合わせメッセージを受信する過程、および、
前記メディア変換装置が、前記コンテンツ送信元装置から前記認証ＩＤ問い合わせメッセージを受信した後に、前記メディア・アプリケーション端末からの認証ＩＤを前記コンテンツ送信元装置に送信する過程、または、
前記メディア変換装置が、前記コンテンツ送信元装置から前記認証ＩＤ問い合わせメッセージを受信した後に、前記認証ＩＤについて前記メディア・アプリケーション端末に問い合わせ、前記メディア変換装置が、前記メディア・アプリケーション端末から前記認証ＩＤを受信した後に、前記認証ＩＤを前記コンテンツ送信元装置に送信する過程、
をさらに有する請求項２に記載の方法。
【請求項５】
前記コンテンツ送信元装置が前記メディア・アプリケーション端末から前記メディア送信迂回要求を受信する前に、
前記方法は、
前記メディア・アプリケーション端末が前記コンテンツ送信元装置から前記メディア・コンテンツＩＤによって特定されたメディア・コンテンツを取得する過程と、
前記メディア・アプリケーション端末が、受信された前記メディア・コンテンツを使用できないことが分かったとき、前記メディア送信迂回要求を前記コンテンツ送信元装置に送信する過程と、
をさらに有する請求項２に記載の方法。
【請求項６】
前記コンテンツ送信元装置が前記メディア・アプリケーション端末から前記メディア送信迂回要求を受信する前に、
前記方法は、
前記メディア変換装置が前記メディア・アプリケーション端末からメディア変換機能問い合わせメッセージを受信する過程をさらに有し、
前記メディア変換機能問い合わせメッセージは、前記メディア・アプリケーション端末の再生機能情報および前記メディア・コンテンツの説明情報を伝達し、
前記メディア変換装置が、前記メディア変換機能問い合わせメッセージにおいて伝達された前記メディア・アプリケーション端末の再生機能情報および前記メディア・コンテンツの説明情報、および、前記メディア変換装置のメディア・コンテンツ変換機能に従って変換サービスを提供できるか否か判定し、前記変換サービスを提供できると判定すると変換を実現できることを示す応答メッセージを送信する過程をさらに有する請求項２に記載の方法。
【請求項７】
前記再生機能情報は、メディア・コンテンツの符号化フォーマット、および／または、メディア・コンテンツの解像度、および／または、メディア・コンテンツのフレーム速度、および／または、メディア・コンテンツのために使用される伝送プロトコルを含み、
前記メディア・コンテンツの説明情報は、前記メディア・コンテンツの符号化フォーマット、および／または、前記メディア・コンテンツの解像度、および／または、前記メディア・コンテンツのフレーム速度、および／または、前記メディア・コンテンツが配置されているコンテンツ送信元装置によって使用される伝送プロトコルを含む請求項６に記載の方法。
【請求項８】
前記メディア変換装置が前記メディア・コンテンツ送信要求を前記コンテンツ送信元装置に送信する前に、前記方法は、前記コンテンツ送信元装置が前記メディア・アプリケーション端末と第１の鍵をネゴシエーションし、前記メディア変換装置が前記メディア・アプリケーション端末から前記第１の鍵を受信し、前記メディア変換装置が前記メディア・アプリケーション端末と第２の鍵をネゴシエーションする過程をさらに有し、
前記メディア変換装置が前記コンテンツ送信元装置から前記メディア・コンテンツＩＤによって特定されたメディア・コンテンツを受信する前に、前記方法は、前記コンテンツ送信元装置が前記第１の鍵を用いて前記メディア・コンテンツを暗号化する過程をさらに有し、
前記メディア変換装置が前記受信されたメディア・コンテンツを変換する前に、前記方法は、前記メディア変換装置が前記第１の鍵を用いて前記受信されたメディア・コンテンツを復号化する過程をさらに有し、
前記メディア変換装置が前記受信されたメディア・コンテンツを変換した後に、前記方法は、前記メディア変換装置が前記第２の鍵を用いて前記変換されたメディア・コンテンツを暗号化する過程をさらに有する請求項２に記載の方法。
【請求項９】
前記コンテンツ送信元装置が前記メディア・アプリケーション端末と前記第１の鍵をネゴシエーションした後、かつ、前記コンテンツ送信元装置が前記メディア・コンテンツを前記メディア変換装置に送信する前、または、前記コンテンツ送信元装置が前記メディア・コンテンツを前記メディア変換装置に送信する過程の間に、前記方法は、前記第１の鍵を更新する過程をさらに有する請求項８に記載の方法。
【請求項１０】
メディア・コンテンツを変換するシステムであって、メディア変換装置と、コンテンツ送信元装置と、を備え、
前記メディア変換装置は、メディア・アプリケーション端末からメディア・コンテンツＩＤおよび前記メディア・アプリケーション端末の再生機能情報を受信し、前記メディア・コンテンツＩＤを伝達するメディア・コンテンツ送信要求を前記コンテンツ送信元装置に送信し、前記コンテンツ送信元装置からメディア・コンテンツを受信し、前記受信されたメディア・アプリケーション端末の再生機能情報に従って前記メディア・コンテンツを変換し、前記変換されたメディア・コンテンツを前記メディア・アプリケーション端末に送信するように構成され、
前記コンテンツ送信元装置は、前記メディア変換装置から前記メディア・コンテンツＩＤを伝達するメディア・コンテンツ送信要求を受信し、前記メディア・コンテンツＩＤによって特定されたメディア・コンテンツを前記メディア変換装置に送信するように構成されたシステム。
【請求項１１】
メディア・アプリケーション端末をさらに備え、
前記メディア・アプリケーション端末は、メディア・コンテンツＩＤおよび前記メディア・アプリケーション端末の再生機能情報を前記メディア変換装置に送信し、前記メディア変換装置からメディア・コンテンツを受信するように構成された請求項１０に記載のシステム。
【請求項１２】
前記メディア・アプリケーション端末は、さらに、メディア送信迂回要求を前記コンテンツ送信元装置に送信し、前記コンテンツ送信元装置から前記メディア送信迂回要求と対応付けされた認証ＩＤを受信し、前記認証ＩＤを前記メディア変換装置に送信するように構成され、
前記メディア変換装置は、さらに、前記メディア・アプリケーション端末から前記認証ＩＤを受信した後に、前記認証ＩＤを前記コンテンツ送信元装置に送信するように構成され、
前記コンテンツ送信元装置は、さらに、前記メディア・アプリケーション端末から前記メディア送信迂回要求を受信した後に、前記メディア送信迂回要求と対応付けされた認証ＩＤを前記メディア・アプリケーション端末に送信し、前記メディア変換装置から前記認証ＩＤを受信し、前記メディア変換装置からの認証ＩＤに従って前記メディア・コンテンツ送信要求が有効であると判定した後に、前記メディア・コンテンツＩＤによって特定されたメディア・コンテンツを前記メディア変換装置に送信するように構成された請求項１１に記載のシステム。
【請求項１３】
前記メディア・アプリケーション端末は、さらに、前記コンテンツ送信元装置による認証を受け取り、前記コンテンツ送信元装置から前記メディア・コンテンツＩＤによって特定されたメディア・コンテンツを取得し、前記メディア・アプリケーション端末が前記受信されたメディア・コンテンツを再生できないことが分かると、前記メディア送信迂回要求を前記コンテンツ送信元装置に送信するように構成され、
前記コンテンツ送信元装置は、さらに、前記メディア・アプリケーション端末を認証し、前記認証が成功した後に、前記メディア・コンテンツを前記メディア・アプリケーション端末に送信するように構成された請求項１２に記載のシステム。
【請求項１４】
前記メディア・アプリケーション端末は、さらに、メディア変換機能問い合わせメッセージを前記メディア変換装置に送信し、前記メディア変換機能問い合わせメッセージは、前記メディア・アプリケーション端末の再生機能情報および前記メディア・コンテンツの説明情報を伝達するように構成され、
前記メディア変換装置は、さらに、前記メディア変換機能問い合わせメッセージにおいて伝達された前記メディア・アプリケーション端末の再生機能情報および前記メディア・コンテンツの説明情報、および、前記メディア変換装置のメディア・コンテンツ変換機能に従って変換サービスを提供できるか否か判定し、前記変換サービスを提供できると判定すると変換を実現できることを示す応答メッセージを前記メディア・アプリケーション端末に送信するように構成された請求項１２に記載のシステム。
【請求項１５】
前記コンテンツ送信元装置は、さらに、前記メディア・アプリケーション端末と第１の鍵をネゴシエーションし、前記第１の鍵を用いて前記メディア・コンテンツを暗号化し、前記暗号化されたメディア・コンテンツを前記メディア変換装置に送信するように構成され、
前記メディア・アプリケーション端末は、さらに、前記コンテンツ送信元装置と前記第１の鍵をネゴシエーションし、前記コンテンツ変換装置と第２の鍵をネゴシエーションし、前記第２の鍵を用いて前記メディア変換装置からのメディア・コンテンツを復号化するように構成され、
前記メディア変換装置は、さらに、前記メディア・アプリケーション端末と前記第２の鍵をネゴシエーションし、前記メディア・アプリケーション端末から前記第１の鍵を受信し、前記第１の鍵を用いて前記コンテンツ送信元装置からのメディア・コンテンツを復号化し、前記復号化されたメディア・コンテンツを変換し、前記第２の鍵を用いて、処理されたメディア・コンテンツを暗号化し、前記暗号化されたメディア・コンテンツを前記メディア・アプリケーション端末に送信するように構成された請求項１２に記載のシステム。
【請求項１６】
メディア変換サービス要求モジュールを備え、
前記メディア変換サービス要求モジュールは、メディア・コンテンツＩＤおよびメディア・アプリケーション端末の再生機能情報をメディア変換装置に送信し、前記メディア変換装置からメディア・コンテンツを受信するように構成されたメディア・アプリケーション端末。
【請求項１７】
メディア送信迂回要求モジュールをさらに備え、
前記メディア送信迂回要求モジュールは、メディア送信迂回要求をコンテンツ送信元装置に送信し、前記コンテンツ送信元装置から前記メディア送信迂回要求と対応付けされた認証ＩＤを受信し、前記認証ＩＤを前記メディア変換サービス要求モジュールに送信するように構成された請求項１６に記載のメディア・アプリケーション端末。
【請求項１８】
鍵ネゴシエーション・モジュールと、復号化モジュールと、をさらに備え、
前記鍵ネゴシエーション・モジュールは、前記コンテンツ送信元装置と第１の鍵をネゴシエーションし、前記メディア変換装置と第２の鍵をネゴシエーションし、前記第１の鍵を前記メディア変換装置に送信し、前記第２の鍵を前記復号化モジュールに送信するように構成され、
前記メディア変換サービス要求モジュールは、さらに、前記受信されたメディア・コンテンツを前記復号化モジュールに送信するように構成され、
前記復号化モジュールは、前記受信された第２の鍵を用いて前記受信されたメディア・コンテンツを復号化するように構成された請求項１７に記載のメディア・アプリケーション端末。
【請求項１９】
メディア変換サービス・インタフェース・モジュールと、メディア変換処理モジュールと、を備え、
前記メディア変換サービス・インタフェース・モジュールは、メディア・アプリケーション端末からメディア・コンテンツＩＤおよび前記メディア・アプリケーション端末の再生機能情報を受信し、前記メディア・コンテンツＩＤを伝達するメディア・コンテンツ送信要求をコンテンツ送信元装置に送信し、前記メディア・アプリケーション端末の再生機能情報を前記メディア変換処理モジュールに送信するように構成され、
前記メディア変換処理モジュールは、前記コンテンツ送信元装置からメディア・コンテンツ、および、前記メディア変換サービス・インタフェース・モジュールから前記メディア・アプリケーション端末の再生機能情報を受信し、前記受信されたメディア・コンテンツを変換し、前記変換されたメディア・コンテンツを前記メディア・アプリケーション端末に送信するように構成されたメディア変換装置。
【請求項２０】
前記メディア変換サービス・インタフェース・モジュールは、さらに、前記メディア・アプリケーション端末から認証ＩＤを受信し、前記認証ＩＤを前記コンテンツ送信元装置に送信するように構成された請求項１９に記載のメディア変換装置。
【請求項２１】
前記メディア変換サービス・インタフェース・モジュールは、さらに、前記メディア・アプリケーション端末からメディア変換機能問い合わせメッセージを受信し、前記メディア変換機能問い合わせメッセージは、前記メディア・アプリケーション端末の再生機能情報および前記メディア・コンテンツの説明情報を伝達し、前記メディア変換機能問い合わせメッセージにおいて伝達された前記メディア・アプリケーション端末の再生機能情報および前記メディア・コンテンツの説明情報、および、前記メディア変換サービス・インタフェース・モジュールのメディア・コンテンツ変換機能に従って変換サービスを提供できるか否か判定し、前記変換サービスを提供できると判定すると、変換を実現できることを示す応答メッセージを前記メディア・アプリケーション端末に送信するように構成された請求項２０に記載のメディア変換装置。
【請求項２２】
鍵ネゴシエーション・モジュールと、暗号化モジュールと、復号化モジュールと、をさらに備え、
前記鍵ネゴシエーション・モジュールは、前記メディア・アプリケーション端末と第２の鍵をネゴシエーションし、前記第２の鍵を前記暗号化モジュールに送信し、前記メディア・アプリケーション端末から第１の鍵を受信し、前記第１の鍵を前記復号化モジュールに送信するように構成され、
前記復号化モジュールは、前記受信された第１の鍵を用いて前記コンテンツ送信元装置からのメディア・コンテンツを復号化し、前記復号化されたメディア・コンテンツを前記メディア変換処理モジュールに送信するように構成され、
前記暗号化モジュールは、前記受信された第２の鍵を用いて前記メディア変換処理モジュールからのメディア・コンテンツを暗号化し、前記暗号化されたメディア・コンテンツを前記メディア・アプリケーション端末に送信するように構成された請求項２０に記載のメディア変換装置。
【請求項２３】
メディア迂回サービス・インタフェース・モジュールと、認証モジュールと、メディア・コンテンツ送信モジュールと、を備え、
前記メディア迂回サービス・インタフェース・モジュールは、メディア・アプリケーション端末からメディア送信迂回要求を受信した後に、前記メディア送信迂回要求を前記認証モジュールに送信し、前記認証モジュールから返却された認証ＩＤを受信し、前記認証ＩＤを前記メディア・アプリケーション端末に送信するように構成され、
前記認証モジュールは、前記メディア迂回サービス・インタフェース・モジュールから前記メディア送信迂回要求を受信した後に、前記メディア送信迂回要求と対応付けされた認証ＩＤを前記メディア迂回サービス・インタフェース・モジュールに送信し、前記メディア・コンテンツ送信モジュールからメディア・コンテンツ送信要求および前記認証ＩＤを受信した後に、前記認証ＩＤに従って前記メディア・コンテンツ送信要求が有効であるか否か判定し、前記メディア・コンテンツ送信要求が有効であると判定すると肯定応答メッセージを前記メディア・コンテンツ送信モジュールに送信するように構成され、
前記メディア・コンテンツ送信モジュールは、前記メディア変換装置からメディア・コンテンツＩＤを伝達するメディア・コンテンツ送信要求および前記認証ＩＤを受信した後に、前記メディア・コンテンツ送信要求および前記認証ＩＤを前記認証モジュールに転送し、前記認証モジュールから肯定応答メッセージを受信した後に、前記メディア・コンテンツＩＤによって特定されたメディア・コンテンツを前記メディア変換装置に送信するように構成されたコンテンツ送信元装置。
【請求項２４】
鍵ネゴシエーション・モジュールと、暗号化モジュールと、をさらに備え、
前記鍵ネゴシエーション・モジュールは、前記メディア・アプリケーション端末と鍵をネゴシエーションし、前記鍵を前記暗号化モジュールに送信するように構成され、
前記暗号化モジュールは、前記受信された鍵を用いて前記メディア・コンテンツ送信モジュールからのメディア・コンテンツを暗号化し、前記暗号化されたメディア・コンテンツを前記メディア変換装置に送信するように構成された請求項２３に記載のコンテンツ送信元装置。
【国際調査報告】
2010524412.tif 000010
2010524412.tif 000011
2010524412.tif 000012
2010524412.tif 000013